(57)【要約】【課題】  輻輳時に、新規に要求された優先度が高い呼に対して無線リソースを優先して割り当てる、移動体無線通信システムおよび無線制御装置を提供する。【解決手段】  無線制御装置が、呼を処理する呼処理手段と、無線リソースが不足する輻輳状態を検知する検知手段と、呼の優先度を記憶する記憶手段と、呼の優先度に基づいて呼に無線リソースを割り当てる無線リソース割り当て手段とを備え、呼処理手段が、輻輳時に新規に呼が要求されたときに、新規に要求された呼より優先度が低い呼に割り当てられている無線リソースの少なくとも一部を解放させて、無線リソース割り当て手段が、解放された無線リソースに新規に要求された呼を割り当てることを特徴とする。【選択図】図５
2008072547.tif 000002
【特許請求の範囲】
【請求項１】
無線通信を行う移動端末と、セル内の移動端末と無線通信を行う基地局と、セルにおける呼に割り当てられる無線リソースを管理する無線制御装置と、無線制御装置間に接続されるコアネットワークとを備える、移動体無線通信システムであって、
無線制御装置が、
呼を処理する呼処理手段と、
無線リソースが不足する輻輳状態を検知する検知手段と、
呼の優先度を記憶する記憶手段と、
呼の優先度に基づいて呼に無線リソースを割り当てる無線リソース割り当て手段とを備え、
呼処理手段が、輻輳時に新規に呼が要求されたときに、新規に要求された呼より優先度が低い呼に割り当てられている無線リソースの少なくとも一部を解放させて、無線リソース割り当て手段が、解放された無線リソースに新規に要求された呼を割り当てることを特徴とする移動体無線通信システム。
【請求項２】
無線通信を行う移動端末と、セル内の移動端末と無線通信を行う基地局と、セルにおける呼に割り当てられる無線リソースを管理する無線制御装置と、無線制御装置間に接続されるコアネットワークとを備える、スペクトル拡散を用いて多元接続を行う移動体無線通信システムであって、
無線制御装置が、
呼を処理する呼処理手段と、
無線リソースが不足する輻輳状態を検知する検知手段と、
呼の優先度を記憶する記憶手段と、
呼の優先度に基づいて呼に無線リソースを割り当てる無線リソース割り当て手段と、
移動端末との呼を、通常モード、または無線リソースを通常モードの２倍使用するコンプレストモードに設定するモード設定手段とを備え、
呼処理手段が、輻輳時に新規に呼が要求されたときに、新規に要求された呼より優先度が低く、かつコンプレストモードに設定された呼が存在する場合には、該呼のコンプレストモードを解除して、無線リソース割り当て手段が、コンプレストモードの解除によって利用可能になった無線リソースに、新規に要求された呼を割り当てることを特徴とする移動体無線通信システム。
【請求項３】
無線通信を行う移動端末と、セル内の移動端末と無線通信を行う基地局と、セルにおける呼に割り当てられる無線リソースを管理する無線制御装置と、無線制御装置間に接続されるコアネットワークとを備える、移動体無線通信システムであって、
無線制御装置が、
呼を処理する呼処理手段と、
無線リソースが不足する輻輳状態を検知する検知手段と、
呼の優先度を記憶する記憶手段と、
呼の優先度に基づいて呼に無線リソースを割り当てる無線リソース割り当て手段と、
移動端末がセルを介して基地局との間に確立した無線リンク数を監視する監視手段とを備え、
呼処理手段が、輻輳時に新規に呼が要求されたときに、新規に要求された呼より優先度が低く、かつ輻輳状態のセルを介して基地局との間に無線リンクを確立すると共に、輻輳状態にないセルを介して基地局との間に無線リンクを確立した移動端末が存在する場合には、該移動端末の輻輳状態のセルを介する無線リンクを解放させ、無線リソース割り当て手段が、無線リンクの解放によって利用可能になった無線リソースに、新規に要求された呼を割り当てることを特徴とする移動体無線通信システム。
【請求項４】
無線通信を行う移動端末と、セル内の移動端末と無線通信を行う基地局と、セルにおける呼に割り当てられる無線リソースを管理する無線制御装置と、無線制御装置間に接続されるコアネットワークとを備える、移動体無線通信システムであって、
無線制御装置が、
呼を処理する呼処理手段と、
移動端末が特定セルに位置するときに高い優先度を有するように、移動端末毎に特定セルを指定する特定セル指定手段と、
呼の優先度を記憶する記憶手段と、
呼の優先度に基づいて呼に無線リソースを割り当てる無線リソース割り当て手段とを備え、
呼処理手段が、輻輳時に新規に呼が要求されたときに、新規に呼を要求した移動端末が特定セルに位置しているか否かを判定し、移動端末が特定セルに位置すると判定される場合には高い優先度を与え、無線リソース割り当て手段が、新規に要求された呼に与えられた高い優先度に基づいて無線リソースを割り当てることを特徴とする移動体無線通信システム。
【請求項５】
呼を処理する呼処理手段と、
無線リソースが不足する輻輳状態を検知する検知手段と、
呼の優先度を記憶する記憶手段と、
呼の優先度に基づいて呼に無線リソースを割り当てる無線リソース割り当て手段とを備える、無線制御装置であって、
呼処理手段が、輻輳時に新規に呼が要求されたときに、新規に要求された呼より優先度が低い呼に割り当てられている無線リソースの少なくとも一部を解放させて、無線リソース割り当て手段が、解放された無線リソースに新規に要求された呼を割り当てることを特徴とする無線制御装置。
【請求項６】
呼を処理する呼処理手段と、
無線リソースが不足する輻輳状態を検知する検知手段と、
呼の優先度を記憶する記憶手段と、
呼の優先度に基づいて呼に無線リソースを割り当てる無線リソース割り当て手段と、
移動端末との呼を、通常モード、または無線リソースを通常モードの２倍使用するコンプレストモードに設定するモード設定手段とを備える、スペクトル拡散を用いて多元接続を行う無線制御装置であって、
呼処理手段が、輻輳時に新規に呼が要求されたときに、新規に要求された呼より優先度が低く、かつコンプレストモードに設定された呼が存在する場合には、該呼のコンプレストモードを解除して、無線リソース割り当て手段が、コンプレストモードの解除によって利用可能になった無線リソースに、新規に要求された呼を割り当てることを特徴とする無線制御装置。
【請求項７】
呼を処理する呼処理手段と、
無線リソースが不足する輻輳状態を検知する検知手段と、
呼の優先度を記憶する記憶手段と、
呼の優先度に基づいて呼に無線リソースを割り当てる無線リソース割り当て手段と、
移動端末がセルを介して基地局との間に確立した無線リンク数を監視する監視手段とを備える、無線制御装置であって、
呼処理手段が、輻輳時に新規に呼が要求されたときに、新規に要求された呼より優先度が低く、かつ輻輳状態のセルを介して基地局との間に無線リンクを確立すると共に、輻輳状態にないセルを介して基地局との間に無線リンクを確立した移動端末が存在する場合には、該移動端末の輻輳状態のセルを介する無線リンクを解放させ、無線リソース割り当て手段が、無線リンクの解放によって利用可能になった無線リソースに、新規に要求された呼を割り当てることを特徴とする無線制御装置。
【請求項８】
呼を処理する呼処理手段と、
移動端末が特定セルに位置するときに高い優先度を有するように、移動端末毎に特定セルを指定する特定セル指定手段と、
呼の優先度を記憶する記憶手段と、
呼の優先度に基づいて呼に無線リソースを割り当てる無線リソース割り当て手段とを備える、無線制御装置であって、
呼処理手段が、輻輳時に新規に呼が要求されたときに、新規に呼を要求した移動端末が特定セルに位置しているか否かを判定し、移動端末が特定セルに位置すると判定される場合には高い優先度を与え、無線リソース割り当て手段が、新規に要求された呼に与えられた高い優先度に基づいて無線リソースを割り当てることを特徴とする無線制御装置。
【請求項９】
特定セルを指定する特定セル情報を含む特定セル情報記憶手段と、
基地局から送られる報知情報に含まれるエリア情報と、特定セル情報とを比較することによって、移動端末が特定セルに位置するかどうかを判定する特定セル判定手段とを備える、移動端末であって、
特定セルに位置していると判定される場合には、呼に高い優先度が与えられることを特徴とする移動端末。
【発明の詳細な説明】
【技術分野】
【０００１】
本発明は、移動体無線通信システムにおいて無線リソースが不足する輻輳時に、新規に要求された優先度が高い呼に対して無線リソースを優先して割り当てる移動体無線通信システムおよび無線制御装置に関する。さらに本発明は、輻輳時に移動端末が特定セルに位置するときに、当該移動端末の呼に高い優先度を与える移動体無線通信システム、無線制御装置、および移動端末に関する。
【背景技術】
【０００２】
図１に、移動体無線通信システムの構成の一例を模式的に示す。図１に示される移動体無線通信システムには、移動端末（ＵＥ＃ＡからＵＥ＃Ｄ）１〜４と、セル（セル＃ａからセル＃ｈ）１１〜１８と、基地局２１〜２４と、無線制御装置（ＲＮＣ−１、２）３１、３２と、コアネットワーク（ＣＮ）４１とが含まれる。移動端末（ＵＥ＃ＡからＵＥ＃Ｄ）１〜４は、携帯電話などである。基地局２１〜２４は、担当する地理的な範囲であるセル（セル＃ａからセル＃ｈ）１１〜１８に存在する移動端末（ＵＥ＃ＡからＵＥ＃Ｄ）１〜４と無線通信を行う。移動端末（ＵＥ＃ＡからＵＥ＃Ｄ）１〜４は、同時に複数のセルを介して基地局との間に無線リンクを確立して通信を行うことができる。図１の例では、移動端末（ＵＥ＃Ｃ）３は、セル＃ｅ１５およびセル＃ｆ１６を介して基地局２３と無線リンクを確立して通信を行うことができる。無線制御装置（ＲＮＣ−１、２）３１、３２は、セル（セル＃ａからセル＃ｈ）１１〜１８において呼に割り当てられる無線リソースを管理し、且つ基地局２１〜２４を制御する。コアネットワーク４１は、無線制御装置（ＲＮＣ−１）３１と無線制御装置（ＲＮＣ−２）３２との間に接続される交換機ネットワークである。
【０００３】
移動端末（ＵＥ＃ＡからＵＥ＃Ｄ）１〜４のユーザが、例えばイベント会場などに集中したときには、これら多数のユーザによる移動端末（ＵＥ＃ＡからＵＥ＃Ｄ）１〜４の使用によって、呼に割り当てられる無線リソースが不足する、輻輳状態になる場合がある。輻輳状態になると、例えば、緊急事態に関連する優先度の高い呼および周辺住民の呼を含む新規に要求された呼に、無線リソースを割り当てることができず、このような発呼または着呼ができなくなる。不足する無線リソースの一例として、チャネライゼーションコードがあり、このチャネライゼーションコードは、下りリンクにおいて物理チャネルを識別するために利用される。
【０００４】
図２に、輻輳状態になり、新規の呼に割り当てられるべき無線リソースが不足して、発呼できない状態の例を示す。呼の優先度は、数値の小さい方が高い優先度を表すものとする。すなわち、ユーザＵＥ＃Ｂの呼（優先度１）は、ユーザＵＥ＃Ａの呼（優先度１０）より優先度が高い。また、ユーザＵＥ＃ＡおよびユーザＵＥ＃Ｂの両方が、セル＃ａに位置しているものとする。
【０００５】
ユーザＵＥ＃Ａは、セル＃ａにおいて無線制御装置ＲＮＣと呼（低い優先度１０）を確立して、それ以上の呼に割り当てる無線リソースが不足している輻輳状態になる（Ｓ１０１）。ユーザＵＥ＃Ｂが、セル＃ａにおいて緊急呼の発呼（高い優先度１）を、無線制御装置ＲＮＣに対して要求する（Ｓ１０２）。ユーザＵＥ＃Ｂから発呼要求を受けた無線制御装置ＲＮＣは、利用可能な無線リソースを検索する（Ｓ１０３）。しかしながら、セル＃ａは輻輳状態であり、ユーザＵＥ＃Ｂに割り当てることができる無線リソースは無い（Ｓ１０４）。そのため、無線制御装置ＲＮＣは、ＵＥ＃Ｂに発呼拒否の通知を送り（Ｓ１０５）、ユーザＵＥ＃Ｂの発呼は失敗する（Ｓ１０６）。このように、従来の移動体無線通信システムでは、輻輳状態になったときに、新規に要求された優先度の高い呼に無線リソースを優先して割り当てることはなかった。
【０００６】
さらに、図３に示すように、輻輳状態で無線リソースが解放されても、無線リソース解放の瞬間にタイミング良く別の呼が発呼すれば、そのタイミングの良い別の呼によって、解放された無線リソースが使用されてしまう場合がある。図３において、セル＃ａに、ユーザＵＥ＃Ａ、ユーザＵＥ＃Ｂ、およびユーザＵＥ＃Ｃが位置している。
【０００７】
ユーザＵＥ＃Ａは、セル＃ａにおいて無線制御装置ＲＮＣと呼（低い優先度１０）を確立して、それ以上の呼に割り当てる無線リソースが不足している輻輳状態になる（Ｓ２０１）。ユーザＵＥ＃Ｂが、セル＃ａにおいて優先度の高い緊急呼の発呼（高い優先度１）を、無線制御装置ＲＮＣに対して要求する（Ｓ２０２）。ユーザＵＥ＃Ｂから発呼要求を受けた無線制御装置ＲＮＣは、利用可能な無線リソースを検索する（Ｓ２０３）。しかしながら、セル＃ａは輻輳状態であり、ユーザＵＥ＃Ｂに割り当てることができる無線リソースは無い（Ｓ２０４）。
【０００８】
その後、ユーザＵＥ＃Ａにより占有されていた無線リソースが解放されるか、またはＵＥ＃Ａの通信レートが低下されて、無線リソースが利用可能になる（Ｓ２０５）。無線リソースの状態は、使用中であるビジー状態から未使用であるアイドル状態へ変化する。無線リソースの解放が完了したことが、無線リソースの割り当てを実施する構成要素に通知される（Ｓ２０６）前に、ユーザＵＥ＃Ｃが、タイミング良く発呼要求（低い優先度１０）を無線制御装置ＲＮＣに送る（Ｓ２０７）と、無線制御装置ＲＮＣは、利用可能な無線リソースを検索し（Ｓ２０８）、利用可能になったばかりの無線リソースを、優先度が低いユーザＵＥ＃Ｃの呼に割り当てる（Ｓ２０９）。無線制御装置ＲＮＣは、発呼が完了したことをユーザＵＥ＃Ｃに通知する（Ｓ２１０）。
【０００９】
その後、無線リソースの解放が完了したことを通知に基づいて、無線リソースの割り当てを実施する構成要素は、発呼要求されていたユーザＵＥ＃Ｂのために利用可能な無線リソースを検索するが（Ｓ２１１）、その無線リソースは、タイミング良く発呼したユーザＵＥ＃Ｃの呼に占有されて、利用可能な無線リソースは無い（Ｓ２１２）。そのため、無線制御装置ＲＮＣは、ユーザＵＥ＃Ｂに発呼拒否の通知を送り（Ｓ２１３）、優先度が高いにも関わらずユーザＵＥ＃Ｂの発呼は失敗する（Ｓ２１４）。
【００１０】
このように、輻輳状態において無線リソースが使用可能になったとしても、使用可能になった無線リソースを、新規に要求された優先度の高い呼に優先して割り当てることができなかった。
【００１１】
また、下りリンクのチャネライゼーションコードに関して、異周波測定のために送信ギャップが設けられるコンプレストモードを行うために、予備用のコードが無線リソースに割り当てられている場合がある。しかしながら、予備状態の間は、これらの無線リソースは使用されていないにも関わらず、そのような無線リソースを他の呼に割り当てることはできない。
【００１２】
図４に、この状態を示す。図４において、ＳＦは、拡散のビット数を表し、ＳＦ／２は、半分の拡散のビット数ＳＦを使用している状態である。すなわち、ＳＦ／２であるコンプレストモードは、下りリンクのチャネライゼーションコードで言い換えると、通常のモードに対して２倍の無線リソースを使用している状態である。図４において、呼が、ａ、ｂ、２、Ｃ、およびＤの保有コードを有し、ＣおよびＤが、コンプレストモードに設定されて２倍の無線リソースを使用している場合、ＳＦ６４−６およびＳＦ６４−８は、使用されていない状態であるが、他の呼には、割り当てられることができなかった。このように、これらのコンプレストモードの予備の無線リソースは、輻輳状態であっても使用されないままであった。
【００１３】
さらに、呼に無線リソースを割り当てるときに、ユーザが、１つのセルを介して基地局と１つの無線リンクを確立しているのか、または複数のセルを介して基地局と複数の無線リンクを確立しているのかは全く考慮されなかった。したがって、輻輳状態のセルと輻輳状態にないセルとの両方を介して、基地局と複数の無線リンクを確立しているユーザが存在している一方で、輻輳状態のセルを介してだけで基地局と無線リンクを確立するユーザが、輻輳のために基地局と無線リンクを確立できない状態があった。
【００１４】
この様子を図５に示す。ユーザ（ＵＥ＃Ａ）１は、セル＃ａ１１、セル＃ｂ１２、およびセル＃ｃ１３を介して、基地局２１および基地局２２と無線リンクを確立することができ、一方、ユーザ（ＵＥ＃Ｂ）２は、セル＃ｃ１３だけを介して基地局２２と無線リンクを確立することができる。ここでセル＃ｃ１３が輻輳状態であるとする。ユーザ（ＵＥ＃Ａ）１は、輻輳状態にないセル＃ａ１１およびセル＃ｂ１２を介して、基地局２１と無線リンクを確立し、同時に輻輳状態のセル＃ｃ１３を介して、基地局２２と無線リンクを確立している。一方、輻輳状態のセル＃ｃ１３だけを介して基地局２２と無線リンクを確立できるユーザ（ＵＥ＃Ｂ）２は、セル＃ｃ１３の輻輳のために、利用可能な無線リソースが無く、無線リンクが確立されない状態が生じることがあった。
【００１５】
加えて、呼の優先度は、ユーザまたはサービス毎に設定されているが、セル毎には割り当てられていなかった。イベント会場近くに居住するユーザは、イベント会場を含むセルがユーザの居住場所であることが考慮されて、イベントに来場している他のユーザの呼より高い優先度を与えられることは無かった。そのために、イベントが開催される毎に、イベントに来場している他のユーザによって無線リソースを占有されて、イベント会場近くに居住するユーザは、居住場所における発呼または着呼ができなくなっていた。
【発明の開示】
【発明が解決しようとする課題】
【００１６】
本発明は、移動体無線通信システムにおいて無線リソースが不足する輻輳時に、新規に要求された優先度が高い呼に対して無線リソースを優先して割り当てる、移動体無線通信システムおよび無線制御装置を提供するものである。さらに本発明は、輻輳時に、新規に呼を要求した移動端末が特定セルに位置しているときには、当該移動端末の呼に無線リソースを優先して割り当てる移動体無線通信システム、無線制御装置、および移動端末を提供するものである。
【課題を解決するための手段】
【００１７】
請求項１に係る発明によれば、無線通信を行う移動端末と、セル内の移動端末と無線通信を行う基地局と、セルにおける呼に割り当てられる無線リソースを管理する無線制御装置と、無線制御装置間に接続されるコアネットワークとを備える、移動体無線通信システムであって、
無線制御装置が、呼を処理する呼処理手段と、無線リソースが不足する輻輳状態を検知する検知手段と、呼の優先度を記憶する記憶手段と、呼の優先度に基づいて呼に無線リソースを割り当てる無線リソース割り当て手段とを備え、
呼処理手段が、輻輳時に新規に呼が要求されたときに、新規に要求された呼より優先度が低い呼に割り当てられている無線リソースの少なくとも一部を解放させて、無線リソース割り当て手段が、解放された無線リソースに新規に要求された呼を割り当てることを特徴とする。
【００１８】
このような構成を有することによって、輻輳時に、優先度が低い呼から無線リソースを解放させて、新規に要求された優先度の高い呼を割り当てることによって、新規に要求された優先度が高い呼に対して、無線リソースを優先して割り当てるという課題を解決することができる。
【００１９】
請求項２に係る発明によれば、無線通信を行う移動端末と、セル内の移動端末と無線通信を行う基地局と、セルにおける呼に割り当てられる無線リソースを管理する無線制御装置と、無線制御装置間に接続されるコアネットワークとを備える、スペクトル拡散を用いて多元接続を行う移動体無線通信システムであって、
無線制御装置が、呼を処理する呼処理手段と、無線リソースが不足する輻輳状態を検知する検知手段と、呼の優先度を記憶する記憶手段と、呼の優先度に基づいて呼に無線リソースを割り当てる無線リソース割り当て手段と、移動端末との呼を、通常モード、または無線リソースを通常モードの２倍使用するコンプレストモードに設定するモード設定手段とを備え、
呼処理手段が、輻輳時に新規に呼が要求されたときに、新規に要求された呼より優先度が低く、かつコンプレストモードに設定された呼が存在する場合には、該呼のコンプレストモードを解除して、無線リソース割り当て手段が、コンプレストモードの解除によって利用可能になった無線リソースに、新規に要求された呼を割り当てることを特徴とする。
【００２０】
このような構成を有することによって、輻輳時に、優先度が低い呼のコンプレストモードを解除して利用可能になった無線リソースに、新規に要求された優先度の高い呼を割り当てることによって、新規に要求された優先度が高い呼に対して無線リソースを優先して割り当てるという課題を解決することができる。
【００２１】
請求項３に係る発明によれば、無線通信を行う移動端末と、セル内の移動端末と無線通信を行う基地局と、セルにおける呼に割り当てられる無線リソースを管理する無線制御装置と、無線制御装置間に接続されるコアネットワークとを備える、移動体無線通信システムであって、
無線制御装置が、呼を処理する呼処理手段と、無線リソースが不足する輻輳状態を検知する検知手段と、呼の優先度を記憶する記憶手段と、呼の優先度に基づいて呼に無線リソースを割り当てる無線リソース割り当て手段と、移動端末がセルを介して基地局との間に確立した無線リンク数を監視する監視手段とを備え、
呼処理手段が、輻輳時に新規に呼が要求されたときに、新規に要求された呼より優先度が低く、かつ輻輳状態のセルを介して基地局との間に無線リンクを確立すると共に、輻輳状態にないセルを介して基地局との間に無線リンクを確立した移動端末が存在する場合には、該移動端末の輻輳状態のセルを介する無線リンクを解放させ、無線リソース割り当て手段が、無線リンクの解放によって利用可能になった無線リソースに、新規に要求された呼を割り当てることを特徴とする。
【００２２】
このような構成を有することによって、輻輳時に、優先度が低い呼から輻輳状態のセルを介する基地局との間の無線リンクを解放させて利用可能になった無線リソースに、新規に要求された優先度が高い呼を割り当てることによって、新規に要求された優先度が高い呼に対して無線リソースを優先して割り当てるという課題を解決することができる。
【００２３】
請求項４に係る発明によれば、無線通信を行う移動端末と、セル内の移動端末と無線通信を行う基地局と、セルにおける呼に割り当てられる無線リソースを管理する無線制御装置と、無線制御装置間に接続されるコアネットワークとを備える、移動体無線通信システムであって、
無線制御装置が、呼を処理する呼処理手段と、移動端末が特定セルに位置するときに高い優先度を有するように、移動端末毎に特定セルを指定する特定セル指定手段と、呼の優先度を記憶する記憶手段と、呼の優先度に基づいて呼に無線リソースを割り当てる無線リソース割り当て手段とを備え、
呼処理手段が、輻輳時に新規に呼が要求されたときに、新規に呼を要求した移動端末が特定セルに位置しているか否かを判定し、移動端末が特定セルに位置すると判定される場合には高い優先度を与え、無線リソース割り当て手段が、新規に要求された呼に与えられた高い優先度に基づいて無線リソースを割り当てることを特徴とする。
【００２４】
このような構成を有することによって、輻輳時に、新規に呼を要求した移動端末が特定セルに位置しているときには、呼に高い優先度を与えることによって、特定セルに位置している移動端末の呼に無線リソースを優先して割り当てるという課題を解決することができる。
【００２５】
請求項５に係る発明によれば、呼を処理する呼処理手段と、無線リソースが不足する輻輳状態を検知する検知手段と、呼の優先度を記憶する記憶手段と、呼の優先度に基づいて呼に無線リソースを割り当てる無線リソース割り当て手段とを備える、無線制御装置であって、
呼処理手段が、輻輳時に新規に呼が要求されたときに、新規に要求された呼より優先度が低い呼に割り当てられている無線リソースの少なくとも一部を解放させて、無線リソース割り当て手段が、解放された無線リソースに新規に要求された呼を割り当てることを特徴とする。
【００２６】
このような構成を有することによって、輻輳時に、優先度が低い呼から無線リソースを解放させて、新規に要求された優先度の高い呼を割り当てることによって、新規に要求された優先度が高い呼に対して、無線リソースを優先して割り当てるという課題を解決することができる。
【００２７】
請求項６に係る発明によれば、呼を処理する呼処理手段と、無線リソースが不足する輻輳状態を検知する検知手段と、呼の優先度を記憶する記憶手段と、呼の優先度に基づいて呼に無線リソースを割り当てる無線リソース割り当て手段と、移動端末との呼を、通常モード、または無線リソースを通常モードの２倍使用するコンプレストモードに設定するモード設定手段とを備える、スペクトル拡散を用いて多元接続を行う無線制御装置であって、
呼処理手段が、輻輳時に新規に呼が要求されたときに、新規に要求された呼より優先度が低く、かつコンプレストモードに設定された呼が存在する場合には、該呼のコンプレストモードを解除して、無線リソース割り当て手段が、コンプレストモードの解除によって利用可能になった無線リソースに、新規に要求された呼を割り当てることを特徴とする。
【００２８】
このような構成を有することによって、輻輳時に、優先度が低い呼のコンプレストモードを解除して利用可能になった無線リソースに、新規に要求された優先度の高い呼を割り当てることによって、新規に要求された優先度が高い呼に対して無線リソースを優先して割り当てるという課題を解決することができる。
【００２９】
請求項７に係る発明によれば、呼を処理する呼処理手段と、無線リソースが不足する輻輳状態を検知する検知手段と、呼の優先度を記憶する記憶手段と、呼の優先度に基づいて呼に無線リソースを割り当てる無線リソース割り当て手段と、移動端末がセルを介して基地局との間に確立した無線リンク数を監視する監視手段とを備える、無線制御装置であって、
呼処理手段が、輻輳時に新規に呼が要求されたときに、新規に要求された呼より優先度が低く、かつ輻輳状態のセルを介して基地局との間に無線リンクを確立すると共に、輻輳状態にないセルを介して基地局との間に無線リンクを確立した移動端末が存在する場合には、該移動端末の輻輳状態のセルを介する無線リンクを解放させ、無線リソース割り当て手段が、無線リンクの解放によって利用可能になった無線リソースに、新規に要求された呼を割り当てることを特徴とする。
【００３０】
このような構成を有することによって、輻輳時に、優先度が低い呼から輻輳状態のセルを介する基地局との間の無線リンクを解放させて利用可能になった無線リソースに、新規に要求された優先度が高い呼を割り当てることによって、新規に要求された優先度が高い呼に対して無線リソースを優先して割り当てるという課題を解決することができる。
【００３１】
請求項８に係る発明によれば、呼を処理する呼処理手段と、移動端末が特定セルに位置するときに高い優先度を有するように、移動端末毎に特定セルを指定する特定セル指定手段と、呼の優先度を記憶する記憶手段と、呼の優先度に基づいて呼に無線リソースを割り当てる無線リソース割り当て手段とを備える、無線制御装置であって、
呼処理手段が、輻輳時に新規に呼が要求されたときに、新規に呼を要求した移動端末が特定セルに位置しているか否かを判定し、移動端末が特定セルに位置すると判定される場合には高い優先度を与え、無線リソース割り当て手段が、新規に要求された呼に与えられた高い優先度に基づいて無線リソースを割り当てることを特徴とする。
【００３２】
このような構成を有することによって、輻輳時に、新規に呼を要求した移動端末が特定セルに位置しているときには、呼に高い優先度を与えることによって、特定セルに位置している移動端末の呼に無線リソースを優先して割り当てるという課題を解決することができる。
【００３３】
請求項９に係る発明によれば、特定セルを指定する特定セル情報を含む特定セル情報記憶手段と、基地局から送られる報知情報に含まれるエリア情報と、特定セル情報とを比較することによって、移動端末が特定セルに位置するかどうかを判定する特定セル判定手段とを備える、移動端末であって、
特定セルに位置していると判定される場合には、呼に高い優先度が与えられることを特徴とする。
【００３４】
このような構成を有することによって、特定セルに位置するときに呼に高い優先度が与えられる移動端末を提供するという課題を解決することができる。
【００３５】
以下、図面を参照して本発明の好ましい実施形態の例を記載する。
【発明を実施するための最良の形態】
【００３６】
図６に、本発明による移動体無線通信システムで使用される無線制御装置３００の構成例を示す。無線制御装置３００は、呼を処理する呼処理部３１０と、輻輳時に無線リソースの少なくとも一部を解放させる対象を判定する判定部３２０と、呼に割り当てられる無線リソースを管理する無線リソース管理部３３０とを備える。
【００３７】
無線制御装置３００は、無線リソースが不足する輻輳状態を検知する検知手段３３１と、呼の優先度を記憶する記憶手段３３２と、呼に無線リソースを割り当てる無線リソース割り当て手段３３３と、移動端末との呼を通常モードまたはコンプレストモードに設定するモード設定手段３３４と、移動端末が基地局との間に確立した無線リンク数を監視する監視手段３３５と、移動端末が特定セルに位置するときに高い優先度を有するように、移動端末毎に特定セルを指定する特定セル指定手段３３６とをさらに備える。
【００３８】
次に、図７に、本発明による移動体無線通信システムにおいて、輻輳時に、新規に要求された優先度が高い呼に対して無線リソースを優先して割り当てる構成の例を示す。
【００３９】
図７に示される例では、図３の場合と同様に、セル＃ａに、ユーザＵＥ＃Ａ、ユーザＵＥ＃Ｂ、およびユーザＵＥ＃Ｃが位置している。
【００４０】
なお、図７の下側に示されるテーブルは、無線リソースの状態を示すテーブルである。ビジーは、その無線リソースが使用されている状態を表し、予約は、その無線リソースが優先度の高い新規に要求された呼に対して予約されている状態を表し、また図７のテーブルには示されていないが、アイドルは、その無線リソースが未使用の状態を表す。従来の移動体無線通信システムでは、無線リソースは、ビジー状態およびアイドル状態だけで管理されていた。
【００４１】
ユーザＵＥ＃Ａは、セル＃ａにおいて無線制御装置ＲＮＣと呼（低い優先度１０）を確立（Ｓ３０１）する。無線制御装置ＲＮＣ３００の呼処理部３１０は、ユーザＵＥ＃Ａからの発呼要求を受け、記憶手段３３２は、ユーザＵＥ＃Ａの呼の優先度を記憶し、無線リソース割り当て手段３３３は、ユーザＵＥ＃Ａの呼に無線リソースを割り当てる。ここで、それ以上の呼に割り当てる無線リソースが不足している輻輳状態になったとする。検知手段３３１は、輻輳状態が検知されると、無線リソース管理部３３０に輻輳状態であることを通知する。
【００４２】
この段階での無線リソースの割り当て状態が、無線リソース状態Ａとして図７の下側に示されている（Ｓ３０２）。全ての無線リソース１〜４は、使用されているビジー状態である。無線リソース２に割り当てられている呼は、優先度が低く、新規に優先度が高い発呼があった場合には、その無線リソースの少なくとも一部を解放させる対象である。
【００４３】
ユーザＵＥ＃Ｂが、セル＃ａにおいて優先度の高い緊急呼の発呼（高い優先度１）を、無線制御装置ＲＮＣ３００に対して要求する（Ｓ３０３）。呼処理部３１０は、ユーザＵＥ＃Ｂからの高い優先度の発呼要求を受け、記憶手段３３２は、ユーザＵＥ＃Ｂの呼の優先度を記憶する。無線リソース割り当て手段３３３は、ユーザＵＥ＃Ｂの呼に割り当てるための利用可能な無線リソースを検索する（Ｓ３０４）。しかしながら、セル＃ａは輻輳中であり、ユーザＵＥ＃Ｂの呼に割り当てることができる無線リソースは無い。
【００４４】
そこで、判定部３２０は、記憶手段３３２に記憶されたユーザＵＥ＃Ｂによる新規の呼の優先度（優先度１）より低く、無線リソースを解放させる対象の呼を検索する。その結果、無線リソース２が検索され（Ｓ３０６）、無線リソース割り当て手段３３３は、ユーザＵＥ＃Ａに割り当てられた無線リソース２の少なくとも一部を解放することを要求される（Ｓ３０７）。要求を受けた無線リソース割り当て手段３３３によって、ユーザＵＥ＃Ａに割り当てられた無線リソース２の少なくとも一部が解放される（Ｓ３０８）。無線リソース２の解放が完了したことが、無線リソース割り当て手段３３３から無線リソース管理部３３０へ通知される（Ｓ３０９）。
【００４５】
この無線リソースの割り当て状態が、無線リソース状態Ｂとして図７の下側に示されている（Ｓ３１０）。無線リソース１、３、および４は、使用されているビジー状態であるが、無線リソース２が解放されて、予約状態になっている。この予約状態は、単に未使用の状態ではなく、優先度の高い新規に発呼したユーザＵＥ＃Ｂの呼に対して予約された無線リソースの状態である。
【００４６】
その直後、ユーザＵＥ＃Ｃが、発呼要求（低い優先度１０）を無線制御装置ＲＮＣ３００に送る（Ｓ３１１）。呼処理部３１０は、ユーザＵＥ＃Ｃからの発呼要求を受け、記憶手段３３２は、ユーザＵＥ＃Ｃの呼の優先度を記憶し、無線リソース割り当て手段３３３は、利用可能な無線リソースを検索する（Ｓ３１２）。しかしながら、セル＃ａは輻輳中であり、ユーザＵＥ＃Ｃに割り当てることができる無線リソースは無い（Ｓ３１３）。呼処理部３１０は、記憶手段３３２に記憶された新規に発呼したユーザＵＥ＃Ｃの呼の優先度が低いために、既存の呼の無線リソースを解放させることは行わず、ユーザＵＥ＃Ｃに対して発呼拒否の通知をする（Ｓ３１４）。このように、ユーザＵＥ＃Ａの呼から解放された無線リソース２が、タイミング良く発呼を行ったユーザＵＥ＃Ｃの優先度の低い呼に対して割り当てられることは生じない。
【００４７】
無線リソース２の解放が完了したことが通知された無線リソース管理部３３０は、無線リソース割り当て手段３３３に、再び利用可能な無線リソースを検索させる（Ｓ３１５）。その結果、無線リソース２が検索され（Ｓ３１６）、ユーザＵＥ＃Ｂから新規に要求された優先度の高い呼に対して、予約状態であった無線リソース２が割り当てられ、発呼が完了したことがユーザＵＥ＃Ｂに通知される（Ｓ３１７）。その結果、ユーザＵＥ＃Ｂの発呼は成功する（Ｓ３１８）。
【００４８】
この無線リソースの割り当て状態が、無線リソース状態Ｃとして図７の下側に示されている（Ｓ３１９）。無線リソース２は、ユーザＵＥ＃Ｂに割り当てられたので、全ての無線リソース１〜４が、使用されているビジー状態である。
【００４９】
以上のように、輻輳時に、新規に要求された優先度の高い呼に対して、無線リソースを優先して割り当てることが可能となる。
【００５０】
図８に、図７におけるＳ３１２で行われる、予約状態の無線リソースを検索する流れ図を示す。
【００５１】
予約状態の無線リソースの検索を開始する（Ｓ４０１）と、まず、無線リソース状態を管理する図７の下側に示されるテーブルから、アイドル状態および予約状態の無線リソースが検索される（Ｓ４０２）。その結果（Ｓ４０３）、アイドル状態および予約状態の無線リソースが検索されなければ、無線リソースの検索に失敗する（Ｓ４０４）。一方、アイドルおよび予約状態の無線リソースが検索されれば、検索された無線リソースの状態を判定する（Ｓ４０５）。その結果（Ｓ４０６）、無線リソースが未使用のアイドル状態であれば、無線リソースの検索に成功する（Ｓ４０７）。一方、予約状態であれば、対象の新規呼が、予約状態の無線リソースが割り当てられるべきである優先度を有するかどうかを判定する（Ｓ４０８）。その結果（Ｓ４０９）、予約状態の無線リソースが割り当てられる優先度が無ければ、無線リソースの検索に失敗する（Ｓ４１０）（輻輳中）。一方、予約状態の無線リソースが割り当てられるべき優先度が有れば、無線リソースの検索に成功する（Ｓ４１１）。
【００５２】
次に、図９に、本発明による移動体無線通信システムにしたがって、輻輳時に優先度の高い新規に要求された呼に対して無線リソースを優先して割り当てる他の構成の例を示す。図９は、スペクトル拡散を用いて多元接続を行う移動体無線通信システムにおいて、移動端末との呼が、通常モード、または無線リソースを通常モードの２倍使用するコンプレストモードに設定される場合に、輻輳時に優先度の高い新規に要求された呼に対して無線リソースを優先して割り当てる構成の例を示す。
【００５３】
図９において、コンプレストモードに設定された呼（ＳＦ／２）に対しては、下りチャネルのチャネライゼーションコードに関して異周波測定のために送信ギャップが設けられ、予備用のコードが無線リソースに割り当てられている。ＳＦは、拡散のビット数を表す。図９の下側のテーブルは、ユーザの通信状態を表す。このようなコンプレストモードまたは通常モードの設定は、無線制御装置３００のモード設定手段３３４が行う。
【００５４】
図９の９−１の状態において、各ユーザＵＥ＃１からＵＥ＃４が、以下のように設定されている。すなわち、ユーザＵＥ＃１は、拡散のビット数ＳＦである通常モードで、優先度５の呼についてコードａを保有する、ユーザＵＥ＃２は、拡散のビット数ＳＦである通常モードで、優先度５の呼についてコードｂを保有する。ユーザＵＥ＃３は、拡散のビット数ＳＦである通常モードで、優先度５の呼についてコード２を保有する。ユーザＵＥ＃４は、拡散のビット数ＳＦである通常モードで、優先度５の呼についてコードＢを保有する。一方、ユーザＵＥ＃５は、拡散のビット数ＳＦ／２であるコンプレストモードで、優先度１０の呼についてコードＹを保有する。すなわち、ユーザＵＥ＃５は、通常モードに設定されたユーザＵＥ＃１からＵＥ＃４の呼に対して２倍の無線リソースを使用している。ここで、図９の９−１の状態が輻輳状態になり、かつ優先度の高い新規な発呼があった場合には、ユーザＵＥ＃５の呼が、コンプレストモードが解除されるモード変更対象となる。
【００５５】
図９の９−２の状態は、輻輳時に優先度の高い新規な発呼があった場合に、ユーザＵＥ＃５の呼に対するコンプレストモードが解除されて通常モードになり、ユーザＵＥ＃５の呼の保有コードが、ＹからＣへ変更され、コードＤが利用可能になった状態を示す。ユーザＵＥ＃５の呼は、コンプレストモードが解除されて通常モードになったため、拡散のビット数がＳＦ／２からＳＦへ変更されている。
【００５６】
図９の９−３の状態は、利用可能になったコードＤに新規なユーザＵＥ＃６の呼が割り当てられた状態である。ユーザＵＥ＃６は、拡散のビット数ＳＦである通常モードで、優先度１の呼についてコードＤを保有する。
【００５７】
以上の動作は、以下のように実施される。無線制御装置３００の呼処理部３１０が、ユーザＵＥ＃６から優先度の高い新規な発呼（優先度１）の要求を受け、記憶手段３３２が、ユーザＵＥ＃６の呼の優先度を記憶し、検知手段３３１が、輻輳状態を検出する。判定部３２０は、モード変更の対象になる呼を検索する。すなわち、ユーザＵＥ＃６から新規の呼の優先度より優先度が低く、コンプレストモードに設定されたユーザＵＥ＃５の呼が検索される。モード設定手段３３４は、検索されたユーザＵＥ＃５に設定されたコンプレストモードを解除する。無線リソース割り当て手段３３３は、コンプレストモードが解除されて利用可能になった無線リソースに、ユーザＵＥ＃６の呼を割り当てる。
【００５８】
このように、輻輳状態が検知されたときに、新規に要求された呼より優先度が低く、かつ呼がコンプレストモードに設定された移動端末が存在する場合には、この移動端末の呼のコンプレストモードを解除して、コンプレストモードの解除によって利用可能になった無線リソースに、新規に要求された呼を割り当てることによって、輻輳時に優先度の高い新規に要求された呼に対して無線リソースを優先して割り当てることができる。
【００５９】
次に、図１０に、本発明による移動体無線通信システムにしたがって、輻輳時に優先度の高い新規に要求された呼に対して無線リソースを優先して割り当てるさらに他の構成の例を示す。図１０の下側のテーブルは、各セル＃ａおよびセル＃ｂにおける、ユーザと、そのユーザがセルを介して基地局との間に確立した無線リンク（ＲＬ）の数と、ユーザの呼の優先度とを表す。移動端末がセルを介して基地局との間で確立した無線リンク（ＲＬ）の数は、無線制御装置３００の監視手段３３５によって監視され、監視結果は、無線リソース管理手段３３０に報告される。
【００６０】
ユーザＵＥ＃Ａは、セル＃ａを介して無線制御装置ＲＮＣと呼（低い優先度５）を確立する（Ｓ５０１）。無線制御装置ＲＮＣ３００の呼処理部３１０は、ユーザＵＥ＃Ａからの発呼要求を受け、記憶手段３３２は、ユーザＵＥ＃Ａの呼の優先度を記憶し、無線リソース割り当て手段３３３は、ユーザＵＥ＃Ａの呼に対してセル＃ａの無線リソースを割り当てる。
【００６１】
この無線リソースの割り当て状態が、無線リソース状態Ａとして図１０の下側に示されている（Ｓ５０２）。セル＃ａにおいて、ユーザＵＥ＃Ａの呼は、セル＃ａとだけ無線リンクを確立し（無線リンク数は１）、優先度は５であり、ユーザＵＥ＃Ｄの呼も、セル＃ａとだけ無線リンクを確立し（無線リンク数は１）、優先度は５であり、またユーザＵＥ＃Ｅの呼も、セル＃ａとだけ無線リンクを確立し（無線リンク数は１）、優先度は３である。一方、セル＃ｂにおいて、ユーザＵＥ＃Ｃの呼は、セル＃ｂとだけ無線リンクを確立し（無線リンク数は１）、優先度は５である。
【００６２】
次に、ユーザＵＥ＃Ａが移動して、セル＃ａとセル＃ｂの両方と無線通信が可能な状態になり、ソフトハンドオーバ（ＳＨＯ）が実施される（Ｓ５０３）。
【００６３】
この無線リソースの割り当て状態が、無線リソース状態Ｂとして図１０の下側に示されている（Ｓ５０４）。セル＃ａおいて、ユーザＵＥ＃Ａの呼は、セル＃ｂとも無線リンクを確立しているため、無線リンク数は２となる。さらに、セル＃ｂにおいて、ユーザＵＥ＃Ａの呼が無線リンクを確立したため、ユーザＵＥ＃Ａが追加され、その無線リンク数は２である。
【００６４】
ここで、ユーザＵＥ＃Ｂが、セル＃ｂおいて優先度の高い緊急呼の発呼（高い優先度１）を、無線制御装置ＲＮＣ３００に対して要求する（Ｓ５０５）。呼処理部３１０は、ユーザＵＥ＃Ｂからの発呼要求を受け、記憶手段３３２は、ユーザＵＥ＃Ｂの呼の優先度を記憶する。無線リソース管理部３３０は、ユーザＵＥ＃Ｂの呼に対して利用可能な無線リソースを検索する（Ｓ５０６）。しかしながら、セル＃ｂおいて、無線リソースがユーザＵＥ＃ＡおよびユーザＵＥ＃Ｃの呼に割り当てられており、輻輳中であり、利用可能な無線リソースの検索に失敗する（Ｓ５０７）。
【００６５】
判定部３２０は、新規に要求されたユーザＵＥ＃Ｂからの呼（優先度１）より優先度が低く、かつ複数のセルを介して無線リンクを確立した移動端末が存在するかどうかを判定し、セル＃ａおよびセル＃ｂを介して無線リンク（無線リンク数２）を確立したユーザＡが検索される。呼処理部３１０は、無線リソース割り当て手段３３３に、セル＃ｂにおけるユーザＵＥ＃Ａの呼に割り当てられている無線リンクの解放を依頼する（Ｓ５０８）。無線リソース割り当て手段３３３は、セル＃ｂにおけるユーザＵＥ＃Ａの呼に割り当てられている無線リンクを解放し（Ｓ５０９）、解放が完了したことを、呼処理部３１０に通知する（Ｓ５１０）。
【００６６】
この無線リソースの割り当て状態が、無線リソース状態Ｃとして図１０の下側に示されている（Ｓ５１１）。セル＃ｂからユーザＵＥ＃Ａの呼との間の無線リンクが解放されたため、セル＃ｂからユーザＵＥ＃Ａが削除され、セル＃ｂにおいてその無線リソースが利用可能な状態になる。一方、セル＃ａでは、ユーザＵＥ＃Ａの呼はセル＃ａとだけ無線リンクを確立しているため、無線リンク数は１になる。
【００６７】
次に、無線リンクの解放が完了したことが通知された呼処理部３１０は、無線リソース割り当て手段３３３に、利用可能な無線リソースを検索させる（Ｓ５１２）。無線リソース割り当て手段３３３は、セル＃ｂにおいて解放された無線リソースを検索し、ユーザＵＥ＃Ｂに割り当てる（Ｓ５１４）。無線制御装置３００は、ユーザＵＥ＃Ｂに発呼が完了したことを通知する（Ｓ５１４）。その結果、ユーザＵＥ＃Ｂの発呼は成功する（Ｓ５１６）。
【００６８】
この無線リソースの割り当て状態が、無線リソース状態Ｄとして図１０の下側に示されている（Ｓ５１５）。セル＃ｂにおいて、ユーザＵＥ＃Ｂから新規に発呼された優先度の高い呼（優先度１）に無線リソースが割り当てられる。一方、優先度が低いユーザＵＥ＃Ａの呼（優先度５）は、ソフトハンドオーバの状態からセル＃ａとだけ無線リンクが確立される状態に戻されている。
【００６９】
このように、輻輳状態が検知されたときには、新規に要求された呼より優先度が低く、かつ輻輳状態のセルと輻輳状態にないセルとを含む複数のセルにおいて基地局との間に無線リンクを確立した移動端末が存在する場合には、この移動端末の輻輳状態のセルにおける基地局との間の無線リンクを解放させ、解放された無線リンクに新規に要求された呼を割り当てることによって、輻輳時に優先度の高い新規に要求された呼に対して無線リソースを優先して割り当てることができる。
【００７０】
次に、図１１に、本発明による移動体無線通信システムにしたがって、輻輳時に移動端末が特定セルに位置するときに、当該移動端末の呼に高い優先度が与える構成の例を示す。図１１は、ユーザが特定セルに位置するときに、ユーザの呼の優先度を、高い優先度である特別優先度に置き換える処理フローを示す。
【００７１】
図１１の下側のテーブルは、ユーザ優先度管理テーブルである。このユーザ優先度管理テーブルは、無線制御装置３００の特定セル指定手段３３６によって指定される特定セルに、ユーザの移動端末が位置するときに、そのユーザの呼に割り当てられる高い優先度である特別優先度を示す。この特定セルは、例えばそのユーザが居住する場所などに対応することができる。
【００７２】
セル＃ａでは、ユーザＵＥ＃ＡおよびユーザＵＥ＃Ｃに対して、特別優先度２が与えられ、ユーザＵＥ＃Ｂに対して、特別優先度３が与えられる。セル＃ｂでは、ユーザＵＥ＃ＬおよびユーザＵＥ＃Ｎに対して、特別優先度２が与えられ、ユーザＵＥ＃Ｍに対して、特別優先度３が与えられる。セル＃ｃでは、ユーザＵＥ＃Ｘに対して、特別優先度２が与えられ、ユーザＵＥ＃ＹおよびユーザＵＥ＃Ｚに対して、特別優先度３が与えられる。
【００７３】
呼処理手段３１０は、輻輳時に新規に呼が要求されたときに、新規に呼を要求した移動端末が、特定セル指定手段３３６によって指定される特定セルに位置しているか否かを判定し、移動端末が特定セルに位置すると判定される場合には、移動端末の呼に高い特別優先度に置き換える。
【００７４】
特別優先度への置き換え処理が開始されると（Ｓ６０１）、呼処理部３１０は、特定セル指定手段３３６のユーザ優先度管理テーブルから該当するセルを検索する（Ｓ６０２）。検索の結果（Ｓ６０３）、該当するセルが無い場合には、特別優先度への置き換え処理は終了される（Ｓ６０４）。一方、該当するセルが有る場合には、ユーザ優先度管理テーブルから該当するユーザを検索する（Ｓ６０５）。検索の結果（Ｓ６０６）、該当するユーザがない場合には、特別優先度への置き換え処理は終了される（Ｓ６０７）。一方、該当するユーザがいる場合には、ユーザ優先度管理テーブルの特別優先度を、発呼要求したユーザの呼の優先度として設定する（Ｓ６０８）。以上で、特別優先度への置き換え処理が完了される（Ｓ６０９）。
【００７５】
このように、移動端末は特定セルに位置するときに、高い優先度に基づいて、無線リソース割り当て手段３３３によって呼に無線リソースを割り当てられることによって、移動端末のユーザは、特定セルに位置するときに、輻輳時に優先して無線リソースを割り当てられることができる。
【００７６】
図１２に、ユーザが特定セルに位置するときに、ユーザの呼の優先度を、高い優先度である特別優先度に置き換える別の構成例を示す。
【００７７】
図１２の下側に示される移動端末１は、特定セル情報記憶手段１０１および特定セル判定手段１０２を有する。特定セル情報記憶手段１０１は、特定セルを指定する特定セル情報を含み、特定セル判定手段１０２は、基地局から送られる報知情報に含まれるエリア情報と、特定セル情報とを比較することによって、移動端末が特定セルに位置するかどうかを判定する。これら手段は、ユーザの移動端末１の加入者識別モジュールカード（ＳＩＭカード）に備えられることができる。
【００７８】
ユーザＵＥ＃Ａの特定セルがセル＃ａであるとする。ユーザＵＥ＃Ａが、セル＃ａで発呼する場合、ユーザＵＥ＃Ａの移動端末の特定セル判定手段１０２は、ＳＩＭカードの特定セル情報記憶手段１０１に記憶されている特定セル情報と、報知情報のエリア情報とを比較することによって（Ｓ７０１）、現在ユーザＵＥ＃Ａが、特定セル＃ａに位置しているがどうかを判定する（Ｓ７０２）。ユーザＵＥ＃Ａが、特定セル＃ａに位置していると判定されるときには、ユーザＵＥ＃Ａは、無線制御装置３００に対して高い優先度の呼として発呼要求する（Ｓ７０３）。発呼要求を受けた無線制御装置３００は、高い優先度に基づき、発呼要求されたユーザＵＥ＃Ａに対して利用可能な無線リソースを割り当てる（Ｓ７０４）。無線制御装置３００は、ユーザＵＥ＃Ａに発呼完了を通知し（Ｓ７０５）、発呼は成功する（Ｓ７０６）。なお、ユーザＵＥ＃Ａが、特定セル＃ａに位置していないと判定されるときには、通常の優先度で無線制御装置３００に対して発呼要求する。
【００７９】
このように、移動端末のユーザは、特定セルに位置するときに、輻輳時に高い優先度に基づき無線リソースを割り当てられることができる。
【００８０】
以上のように、本発明により、無線リソースが不足する輻輳状態のときに、優先度が高い新規に要求された呼に対して、無線リソースを優先的に割り当てる移動体無線通信システムおよび無線制御装置が提供されることができる。また本発明により、輻輳時に、新規に呼を要求した移動端末が特定セルに位置しているときには、当該移動端末の呼に無線リソースを優先して割り当てる移動体無線通信システム、無線制御装置、および移動端末を提供することができる。
【００８１】
なお、本発明は、本明細書に記載された具体的な実施形態に限定されず、様々な変更、または修正が可能である。
【図面の簡単な説明】
【００８２】
【図１】移動体無線通信システムの構成の一例を模式的に示す図である。
【図２】輻輳状態になり、新規の呼に割り当てられる無線リソースが不足して、発呼できない状態の例を示す図である。
【図３】呼の無線リソースが解放された瞬間にタイミング良く他の呼が発信して、解放された無線リソースが使用される様子を示す図である。
【図４】予備としてコンプレストモードに割り当てられているコードが、他の呼に割り当てられない状態を示す図である。
【図５】輻輳状態にないセルを介して基地局と無線リンクを確立しているユーザに、輻輳状態のセルの無線リソースを割り当て、輻輳状態のセルだけを介して基地局と無線リンクを確立するユーザには、無線リソースが割り当てられない状態を示す図である。
【図６】本発明による移動体無線通信システムで使用される無線制御装置の構成例を示す図である。
【図７】本発明による移動体無線通信システムにしたがって、輻輳時に優先度の高い新規に要求された呼に対して無線リソースを優先して割り当てる構成の例を示す図である。
【図８】予約状態の無線リソースを検索する流れ図を示す図である。
【図９】本発明による移動体無線通信システムにしたがって、輻輳時に優先度の高い新規に要求された呼に対して無線リソースを優先して割り当てる他の構成の例を示す図である。
【図１０】本発明による移動体無線通信システムにしたがって、輻輳時に優先度の高い新規に要求された呼に対して無線リソースを優先して割り当てるさらに他の構成の例を示す図である。
【図１１】本発明による移動体無線通信システムにしたがって、輻輳時に移動端末が特定セルに位置するときに、当該移動端末の呼に高い優先度が与える構成の例を示す図である。
【図１２】ユーザが特定セルに位置するときに、ユーザの呼の優先度を、高い優先度である特別優先度に置き換える別の構成例を示す図である。
【符号の説明】
【００８３】
１、２、３、４  移動端末
１１、１２、１３、１４、１５、１６、１７、１８  セル
２１、２２、２３、２４  基地局
３１、３２  無線制御装置
４１  コアネットワーク
１０１  特定セル情報記憶手段
１０２  特定セル判定手段
３００  無線制御装置ＲＮＣ
３１０  呼処理部
３２０  判定部
３３０  無線リソース管理部
３３１  検知手段
３３２  記憶手段
３３３  無線リソース割り当て手段
３３４  モード設定手段
３３５  監視手段
３３６  特定セル指定手段
【図１】
2008072547.tif 000003
【図２】
2008072547.tif 000004
【図３】
2008072547.tif 000005
【図４】
2008072547.tif 000006
【図５】
2008072547.tif 000007
【図６】
2008072547.tif 000008
【図７】
2008072547.tif 000009
【図８】
2008072547.tif 000010
【図９】
2008072547.tif 000011
【図１０】
2008072547.tif 000012
【図１１】
2008072547.tif 000013
【図１２】
2008072547.tif 000014